(57)【要約】【課題】電車用電力給電システムに用いられ、直交する単相電源１，２の切替を行う区間であるデッドセクションＤにおける電源１，２の電源切替時間の測定方式及び電源切替システムを提供する。【解決手段】電源１，２に応じた電圧値Ｖａ，ＶｂからデッドセクションＤの共通負荷Ｒの電圧値Ｖｎを減算したベクトル差信号ｄＶａ，ｄＶｂを出力する手段１５と、手段１５から出力する差信号ｄＶａと所定値Ｋｖとを比較した結果が、Ｋｖ以上であれば「１」、Ｋｖ未満であれば「０」の第１の演算出力信号と、手段１５から出力する差信号ｄＶｂとＫｖとを比較した結果が、Ｋｖ以上であれば「１」、Ｋｖ未満であれば「０」である第２の演算出力信号とを出力する手段１６と、手段１６から出力する第１の演算出力信号から第２の演算出力信号を減算した結果が、「０」状態のときを検知して、当該「０」状態の時間を電源切替時間として判定する手段１７とを備えている。【選択図】図１
2010068659.tif 000002
【特許請求の範囲】
【請求項１】
電車電力給電システムのデッドセクションにおける電源切替時間を測定する電源切替時間の測定方式であって、
一方の電源に応じた電圧値から前記デッドセクションの共通負荷における電圧値を減算して得た第１のベクトル差信号と、前記一方の電源と位相が直交する他方の電源に応じた電圧値から前記共通負荷における電圧値を減算して得た第２のベクトル差信号とを出力するベクトル差信号出力手段と、
前記ベクトル差信号出力手段から出力する前記第１のベクトル差信号と所定値とを比較して得た比較結果が、前記所定値以上であれば「１」、当該比較結果が前記所定値未満であれば「０」である第１の演算出力信号と、
前記ベクトル差信号出力手段から出力する前記第２のベクトル差信号と前記所定値とを比較して得た比較結果が、前記所定値以上であれば「１」、当該比較結果が前記所定値未満であれば「０」である第２の演算出力信号とを出力する比較判定手段と、
前記比較判定手段から出力する前記第１の演算出力信号から前記第２の演算出力信号を減算して得た減算結果が、「０」状態のときを検知して、当該「０」状態の時間を前記電源切替時間として判定する切替時間判定手段とを備えたことを特徴とする電源切替時間の測定方式。
【請求項２】
電車電力給電システムのデッドセクションを介して電源切替を行う電源切替システムであって、
一方の電源に応じた電圧値から前記デッドセクションの共通負荷における電圧値を減算して得た第１のベクトル差信号と、前記一方の電源と位相が直交する他方の電源に応じた電圧値から前記共通負荷における電圧値を減算して得た第２のベクトル差信号とを出力するベクトル差信号出力手段と、
前記ベクトル差信号出力手段から出力する前記第１のベクトル差信号と所定値とを比較して得た比較結果が、前記所定値以上であれば「１」、当該比較結果が前記所定値未満であれば「０」である第１の演算出力信号と、
前記ベクトル差信号出力手段から出力する前記第２のベクトル差信号と前記所定値とを比較して得た比較結果が、前記所定値以上であれば「１」、当該比較結果が前記所定値未満であれば「０」である第２の演算出力信号とを出力する比較判定手段と、
前記比較判定手段から出力する前記第１の演算出力信号から前記第２の演算出力信号を減算して得た減算結果から、「０」状態の開始時刻を検知すると、前記デッドセクションに対する前記一方の電源の電源供給を停止制御し、この後、前記減算結果から、当該「０」状態の終了時刻を検知すると、前記デッドセクションに対する前記他方の電源の電源供給を開始制御する制御手段とを備えたことを特徴とする電源切替システム。
【発明の詳細な説明】
【技術分野】
【０００１】
本発明は、電車用電力給電システムに用いられ、異電源の切替時間を測定する電源切替時間の測定方式、及び、電源切替を正確に行う電源切替システムに関するものである。
【背景技術】
【０００２】
電車用電力給電システムにおける異電源の切替を行う区間であって、架線に給電されないセクションであるデッドセクションでは、ここを電車が通過するときに電車への電源切替が行われる。この通過時に電車は一旦停電状態となるが、その走行に支障はない。この停電状態は電車内部の電源切替を円滑に行うために必要であり、所定の停電時間が規定されており、新幹線の場合は、０．３秒の停電時間である。この時間より短い停電時間であると新幹線内部の電源切替は円滑に行われず、一方、この時間より長い停電時間であると新幹線は停電状態と判断してしまう。
【０００３】
このように、所定の停電時間を正確に維持できないと、新幹線の運行に支障を来してしまう恐れがあるから、新幹線の運行管理上、前記した所定の停電時間（即ち、所定の電源切替時間）の維持管理、この前提となる電源切替時間の正確な測定は、必須である。
【０００４】
この所定の電源切替時間内に電源の切替を行なうための新幹線用電源設備は、周知である(例えば、特許文献１、２)。
【０００５】
図４は従来の電源切替時間の測定方式を説明するための図である。
【０００６】
従来の電源切替時間の測定方式は、同図に示すように、主に、２つの異電源１,２と、共通負荷Rを有するデッドセクションＤとより構成される電力系統を前提として行なわれる。２つの異電源１,２は、三相電源（図示せず）を互いに直交する位相の２つの単相電源１と単相電源２とに変換して得たものである。
【０００７】
この２つの異電源１,２は、常時給電区間であるセクションL１，L２に供給されて、セクションL１，L２を順次通過する電車Eに給電される。セクションL１，L２は、デッドセクションＤを介してそれぞれ位置しており、セクションL１、デッドセクションＤ、セクションL２、デッドセクションＤ、セクションL１と、順次繰り返して設置されている。
【０００８】
また、２つの異電源１,２は開閉器３,４を介して、デッドセクションＤの共通負荷Rに供給される。
【０００９】
制御装置５は、この開閉器３,４の開成（ＯＮ）・閉成（ＯＦＦ）の切替制御をそれぞれ行う。この開閉器３,４は補助接点６,７を備えている。補助接点６,７の開閉成は、開閉器３,４の開閉成に連動して行われる。補助接点６,７の一端は計測装置８と接続されている。
【００１０】
計測装置８は、補助接点６,７から出力される開閉成に応じた開閉成信号を入力し、この開閉成信号の変化に基づいて、開閉器３,４の開閉成に連動する補助接点６,７の開成時刻、閉成時刻を計測し、表示等の出力を行う。
【００１１】
この計測結果に基づいて、オペレータは、電源切替時間がデッドセクションＤにおける前記した所定の停電時間を満たす時間であるか否かを調べる。そして、所定の停電時間を満たす電源切替時間でないと判定すると、所定の停電時間を満たすように、開閉器３,４の開成時刻、閉成時刻の進退調整を行うように、開閉器３,４を切替制御する制御装置５の調整を行う。
【特許文献１】特開平１１−２６８５５９号
【特許文献２】特開２００２−５８１１０号
【発明の開示】
【発明が解決しようとする課題】
【００１２】
ところで、前述した従来の電源切替時間の測定方式は、２つの異電源１,２と共通負荷Rを有するデッドセクションＤとより構成される電力系統内に所在する開閉器３,４、補助接点６,７の開閉成状態に基づいて、電源切替時間の測定を行うのであるが、開閉器３,４、補助接点６,７の電気的・機械的特性は、経年変化により次第に劣化してしまう。このため、当初所定の電源切替時間が得られるように開閉器３，４の開閉成状態（開閉器３の開閉成時刻及び開閉器４の開閉成時刻）を設定してあっても、次第にその時刻がずれてしまい、その維持が難しくなる。
【００１３】
こうした状況下にあっても、所定の電源切替時間を長期間安定して維持するべく、開閉器３,４の特性劣化に対応して、開閉器３，４が正しい開閉成時刻で動作するよう制御装置５の調整を行なっている。
【００１４】
しかしながら、この開閉器３，４の開閉成時刻は、開閉器３，４の開閉成時刻を直接計測するのではなく、開閉器３，４の切替に連動する補助接点６，７の開閉成時刻を計測し、この計測結果を、開閉器３，４の開閉成時刻として用いている。
【００１５】
このため、従来の電源切替時間の測定方式には、開閉器３,４の開閉成時間が前記した所定の電源切替時間を満たすものであっても、補助接点６,７が特性劣化している場合には、補助接点６,７は所定の電源切替時間を満たさない開閉成時間を出力してしまい、この結果、開閉器３,４の開閉成時間＝所定の電源切替時間を、正確に測定できない恐れがあった。
【００１６】
そこで、本発明は、前記した電力系統を構成する電力機器や電力回路、開閉器等の電気的・機械的特性が経年変化により劣化しても、デッドセクションにおける所定の停電時間（即ち、所定の電源切替時間）を確保維持するための、電源切替時間を正確に測定可能な電源切替時間の測定方式、及び、電源切替を正確に行うことが可能な電源切替システムを提供することを目的とする。
【課題を解決するための手段】
【００１７】
上記した課題を解決するために、請求項１に記載の本発明は、下記の構成を有する電源切替時間の測定方式を提供する。
【００１８】
電車電力給電システムのデッドセクションＤにおける電源切替時間を測定する電源切替時間の測定方式であって、
一方の電源１に応じた電圧値Ｖａから前記デッドセクションＤの共通負荷Ｒにおける電圧値Ｖｎを減算して得た第１のベクトル差信号ｄＶａと、前記一方の電源１と位相が直交する他方の電源２に応じた電圧値Ｖｂから前記共通負荷Ｒにおける電圧値Ｖｎを減算して得た第２のベクトル差信号ｄＶｂとを出力するベクトル差信号出力手段（ベクトル差電圧振幅値演算手段）１５と、
前記ベクトル差信号出力手段１５から出力する前記第１のベクトル差信号ｄＶａと所定値Ｋｖとを比較して得た比較結果が、前記所定値以上であれば「１」（ｄＶａ＝１）、当該比較結果が前記所定値未満であれば「０」（ｄＶａ＝０）である第１の演算出力信号と、
前記ベクトル差信号出力手段１５から出力する前記第２のベクトル差信号ｄＶｂと前記所定値Ｋｖとを比較して得た比較結果が、前記所定値以上であれば「１」（ｄＶｂ＝１）、当該比較結果が前記所定値未満であれば「０」（ｄＶｂ＝０）である第２の演算出力信号とを出力する比較判定手段１６と、
前記比較判定手段１６から出力する前記第１の演算出力信号から前記第２の演算出力信号を減算（ｄＶａ−ｄＶｂ）して得た減算結果が、（「−１」「０」「１」の３状態の中から）「０」状態のときを検知して、当該「０」状態の時間を前記電源切替時間として判定する切替時間判定手段（電源切替時間演算手段）１７とを備えたことを特徴とする電源切替時間の測定方式。
【００１９】
［作用］
本発明は、電源側電圧Ｖａ，Ｖｂと負荷側電圧Ｖｎの電圧値と位相及び周波数成分の差分に応じて生じるベクトル差電圧ｄＶａ，ｄＶｂを振幅値演算して求め、各々のベクトル差電圧値ｄＶａ，ｄＶｂと予め定めた値Ｋｖと比較し、夫々の比較結果の判定からこのベクトル差電圧がない時間（ｄＶａ−ｄＶｂ＝０）を測定し、これを電源切替時間と判定するので、電源切替時間を正確に測定する。
【００２０】
また、上記した課題を解決するために、請求項２に記載の本発明は、下記の構成を有する電源切替システムを提供する。
【００２１】
電車電力給電システムのデッドセクションＤを介して電源切替を行う電源切替システムであって、
一方の電源１に応じた電圧値Ｖａから前記デッドセクションＤの共通負荷Ｒにおける電圧値Ｖｎを減算して得た第１のベクトル差信号ｄＶａと、前記一方の電源１と位相が直交する他方の電源２に応じた電圧値Ｖｂから前記共通負荷Ｒにおける電圧値Ｖｎを減算して得た第２のベクトル差信号ｄＶｂとを出力するベクトル差信号出力手段（ベクトル差電圧振幅値演算手段）１５と、
前記ベクトル差信号出力手段１５から出力する前記第１のベクトル差信号ｄＶａと所定値Ｋｖとを比較して得た比較結果が、前記所定値以上であれば「１」（ｄＶａ＝１）、当該比較結果が前記所定値未満であれば「０」（ｄＶａ＝０）である第１の演算出力信号と、
前記ベクトル差信号出力手段１５から出力する前記第２のベクトル差信号ｄＶｂと前記所定値Ｋｖとを比較して得た比較結果が、前記所定値以上であれば「１」（ｄＶｂ＝１）、当該比較結果が前記所定値未満であれば「０」（ｄＶｂ＝０）である第２の演算出力信号とを出力する比較判定手段１６と、
前記比較判定手段１６から出力する前記第１の演算出力信号から前記第２の演算出力信号を減算（ｄＶａ−ｄＶｂ）して得た減算結果から、（「−１」状態から「０」状態に変化する）「０」状態の開始時刻を検知すると、前記デッドセクションＤに対する前記一方の電源の電源供給を停止制御し、この後、前記減算結果から、（「０」状態から「１」状態に変化する）当該「０」状態の終了時刻を検知すると、前記デッドセクションＤに対する前記他方の電源の電源供給を開始制御する制御手段５とを備えたことを特徴とする電源切替システム。
【００２２】
［作用］
本発明は、電源側電圧Ｖａ，Ｖｂと負荷側電圧Ｖｎの電圧値と位相及び周波数成分の差分に応じて生じるベクトル差電圧ｄＶａ，ｄＶｂを振幅値演算して求め、各々のベクトル差電圧値ｄＶａ，ｄＶｂと予め定めた値Ｋｖと比較し、ベクトル差電圧（ｄＶａ−ｄＶｂ）減算結果が「−１」状態から「０」状態に変化するときの、「０」状態の開始時刻を検知すると、デッドセクションＤに対する一方の電源の電源供給を停止制御し、この後、減算結果が「０」状態から「１」状態に変化するときの、当該「０」状態の終了時刻を検知すると、デッドセクションＤに対する他方の電源の電源供給を開始制御することにより、電源切替を正確に行う。
【発明の効果】
【００２３】
本発明は、前記した電力系統を構成する電力機器や電力回路、開閉器等の電気的・機械的特性が経年変化により劣化しても、デッドセクションにおける所定の停電時間（即ち、所定の電源切替時間）を確保維持するための、電源切替時間を正確に測定可能な電源切替時間の測定方式、及び、電源切替を正確に行うことが可能な電源切替システムを提供することができる。
【発明を実施するための最良の形態】
【００２４】
以下、本発明の電源切替時間の測定方式の実施の形態を、図１〜図３を用いて説明する。図１は本発明の電源切替時間の測定方式を説明するための図、図２は本発明の電源切替時間の測定方式の処理ブロック図、図３は本発明の電源切替時間の測定方式の動作を説明するための波形図である。前記したものと同一部分には同一符号を付している。
【００２５】
本発明の電源切替時間の測定方式は、図１に示すように、主に、２つの異電源１,２と共通負荷Rを有するデッドセクションＤとより構成される電力系統を前提として行なわれる。２つの異電源１,２は、三相電源（図示せず）を互いに直交（９０度位相が相違）する２つの単相電源１と単相電源２とに変換して得た、２つの電源である。２つの異電源１,２は、常時給電区間であるセクションL１，L２に供給されて、セクションL１，L２を順次通過する電車Eに給電される。セクションL１，L２は、デッドセクションＤを介してそれぞれ位置しており、セクションL１、デッドセクションＤ、セクションL２、デッドセクションＤ、セクションL１と、順次繰り返して設置されている。
【００２６】
また、２つの異電源１,２は開閉器３,４を介して、デッドセクションＤの共通負荷Rに供給される。制御装置５は、開閉器３,４の開成（ＯＮ）・閉成（ＯＦＦ）の切替制御を行う。また制御装置５は、デッドセクションＤにおける所定の電源切替時間（新幹線の場合は、０．３秒）を常時維持するべく、電気特性、機械特性の劣化に即して、開閉器３,４の開閉成時間を適宜調整制御している。
【００２７】
２つの電源１，２は、補助変圧器Ｔａ，Ｔｂの一次側に供給されており、補助変圧器
Ｔａ，Ｔｂの二次側電圧Ｖa，Ｖb（図３（ａ），（ｂ））に変換されて、計測装置１０へ供給される。また、共通負荷Rに印加される電源１又電源２は、補助変圧器Ｔｎの一次側に接続されており、補助変圧器Ｔｎの二次側電圧Ｖｎ（図３（ｃ））に変換されて、計測装置１０へ供給される。
【００２８】
計測装置１０は、減算器１０ａ１，１０ａ２と、演算器１０ｂ１，１０ｂ２と、電源切替・時間判定部１０ｃとを備えている。
【００２９】
減算器１０ａ１，１０ａ２は、電圧Ｖaから電圧Ｖｎを減算して得た第１の差分値
ｄＶａ（図３(ｄ)）と、電圧Ｖbから電圧Ｖｎを減算して得た第２の差分値ｄＶｂ（図３(ｅ)）とを、演算器１０ｂ１，１０ｂ２へ出力する。
【００３０】
演算器１０ｂ１は、減算器１０ａ１から供給される第１の差分値ｄＶａと、所定値Ｋｖとを比較して、第１の差分値ｄＶａが所定値Ｋｖ以上であれば、「１」であり、所定値
Ｋｖ未満であれば、「０」である第１の演算出力信号を、電源切替・時間判定部１０ｃへ出力する。同様に、演算器１０ｂ２は、減算器１０ａ２から供給される第２の差分値
ｄＶｂと、所定値Ｋｖとを比較して、第２の差分値ｄＶｂが所定値Ｋｖ以上であれば、「１」であり、所定値Ｋｖ未満であれば、「０」である第２の演算出力信号を、電源切替・時間判定部１０ｃへ出力する。
【００３１】
電源切替・時間判定部１０ｃは、演算器１０ｂ１から供給される第１の演算出力信号から演算器１０ｂ２から供給される第２の演算出力信号を減算する。電源切替・時間判定部１０ｃは、この減算結果が「０」状態のとき（図３（ｆ）に示す「ｄＶａ−ｄＶｂ＝０」）を検知して、図示されないタイマにより「０」状態になるタイミングと時間とをカウントし、カウントした時間を、共通負荷Ｒに２つの電源１，２のいずれも供給されていない双方電源解放時間（図３（ｃ））、即ち電源切替時間として判定する。
【００３２】
具体的には、電源切替・時間判定部１０ｃは、演算器１０ｂ１，１０ｂ２から供給される第１の演算出力信号から第２の演算出力信号を減算し、この減算結果が「−１」（図３（ｆ）に示す「ｄＶａ−ｄＶｂ＝−１」）から「０」へ変わる時刻である「０」開始時刻に応じた開始時刻信号ｔ０１と、「０」から「１」（図３（ｆ）に示す「ｄＶａ−ｄＶｂ＝１」）へ変わる時刻である「０」終了時刻に応じた終了時刻信号ｔ０２とを、制御装置５へ出力する。
【００３３】
制御装置５は、電源切替・時間判定部１０ｃから前記した開始時刻信号ｔ０１が供給されると、図示されないタイマを参照し、各開閉器３，４を制御する信号を送出したタイミングと開始時刻信号ｔ０１とを照合し、両者が所定の時間差に収まる様、開閉器３，４を共に開成制御する。
【００３４】
この後、電源切替・時間判定部１０ｃから前記した終了時刻信号が供給されると、同様にこれに応じて、開閉器３の開成制御を維持すると共に（ｔ０２−ｔ０１＝０．３秒）となる様開閉器４を閉成制御する。こうして、制御装置５は、補助接点を用いないで負荷に加わる電圧により測定した電源切替・時間判定部１０ｃから供給される開始時刻信号、終了時刻信号に応じて、デッドセクションＤにおける所定の電源切替時間を常時正確に測定して、制御することができる。
【００３５】
こうして、制御装置５の切替制御により、２つの異電源１，２が同時に閉成されることなく、また、所定の停電時間（０．３秒）である電源切替時間で、２つの異電源１，２を正確に切替えることができる。
【００３６】
ところで、本発明の電源切替時間の測定方式の処理ブロックは、図２に示すように、前記した計測装置１０（図１）を構成する各部（減算器１０ａ１，１０ａ２、演算器１０ｂ１，１０ｂ２、電源切替・時間判定部１０ｃ）を、機能ブロック化したものである。即ち、本処理ブロックは、図２左端から右端に向かって、順次、入力変換手段１１、サンプリングホールド（Ｓ／Ｈ）手段１２、Ａ／Ｄ変換手段１３、データ格納手段１４、ベクトル差電圧振幅値演算手段１５、比較判定手段１６、電源切替時間演算手段１７が、配列されてなる。
【００３７】
これら入力変換手段１１、Ｓ／Ｈ手段１２、Ａ／Ｄ変換手段１３及びデータ格納手段１４は、いずれも、計測装置１０を構成する各部ではあるが、図１には示していない。ベクトル差電圧振幅値演算手段１５は減算器１０ａ１，１０ａ２に対応する。比較判定手段１６は演算器１０ｂ１，１０ｂ２に対応する。そして、電源切替時間演算手段１７は電源切替・時間判定部１０ｃに対応する。
【００３８】
次に、本処理ブロックの動作について、説明する。
【００３９】
前記した補助変圧器Ｔａ，Ｔｂ，Ｔｎの二次側電圧Ｖａ、Ｖｂ、Ｖｎ（図１）は、入力変換手段１１にそれぞれ供給され、ここで所定のアナログ電圧に変換された後、Ｓ／Ｈ手段１２にて、所定のサンプリング周期で繰り返しサンプリングホールドされる。サンプリングホールドされたアナログ電圧は、Ａ／Ｄ変換手段１３にてデジタル電圧に変換され、データ格納手段１４に順次記憶される。
【００４０】
ベクトル差電圧振幅値演算手段１５は、データ格納手段１４に記憶されている電圧Ｖａ、Ｖｂ、Ｖｎに応じた各デジタル電圧に基づいて、電圧の値（振幅値）と電圧の位相及び電圧周波数の差分に応じて生じる、ベクトル差電圧ｄＶａ、ｄＶｂを、次の数式を用いて求める。因みに、電圧Ｖａ、Ｖｂ、Ｖｎは互いに直交する２つの電源１，２に応じた位相の関係を有している。またこのベクトル差電圧ｄＶａ、ｄＶｂは、前記した第１，第２の差分値に対応する。
【００４１】
ｄＶａ＝Ｖa−Vｎ
ｄＶｂ＝Ｖb−Vｎ
比較判定手段１６は、ベクトル差電圧振幅値演算手段１５でそれぞれ検出されたベクトル差電圧ｄＶa，ｄＶbを、所定値Ｋｖと比較し、その比較判定結果を電源切替時間演算手段１７に出力する。即ち、演算器１０ｂ１，１０ｂ２は、図３（ｄ），（ｅ）に示すように、減算器１０ａ１，１０ｂ２から出力するベクトル差信号ｄＶａ，ｄＶｂが、値Ｋｖ以上であれば、「１」を出力し、所定値Ｋｖ未満であれば、「０」を出力する。
【００４２】
電源切替時間演算手段１７は、比較判定手段１６から供給される、ベクトル差電圧
ｄＶａとベクトル差電圧ｄＶｂとの差が、任意に定められた値（即ち「０」）の場合のとき、この時間をカウントし、この時間が、共通負荷Ｒが無電圧である双方電源解放時間、つまり所定の停電時間、電源切替時間として、図示されない内部タイマカウンタによりこの時間を測定する。
【００４３】
図３（ａ）〜（ｃ）は、それぞれ、
単相電源１の振幅値Ｖａ、絶対値｜Ｖａ｜、
単相電源２の振幅値Ｖｂ、絶対値｜Ｖｂ｜、
共通負荷Ｒの振幅値Ｖｎ、絶対値｜Ｖｎ｜
を示している。
【００４４】
また、図３（ｄ），（ｅ）は、それぞれ、
単相電源１と共通負荷Ｒとの差である、振幅値ｄＶａ、絶対値｜ｄＶａ｜、
単相電源２と共通負荷Ｒとの差である、振幅値ｄＶｂ、絶対値｜ｄＶｂ｜
を示している。
【００４５】
さらに、図３（ｆ）は、ベクトル差信号ｄＶａとベクトル差信号ｄＶｂとの差の極性「−１」、「０」、「１」の範囲を示している。即ち、
ｄＶａ−ｄＶｂ＝−１  …  極性「−１」
ｄＶａ−ｄＶｂ＝０    …  極性「０」
ｄＶａ−ｄＶｂ＝１    …  極性「１」
を示している。
【００４６】
図３（ａ）〜（ｅ）に示す各横軸は、経過時間であり,各縦軸は定格値を基準とする電圧値[PU]である。
【００４７】
図３（ａ）〜（ｅ）に示す各グラフは、共通負荷Ｒに単相電源１が供給されている状態から単相電源１の開閉器３が開成し,双方電源開放が(Δt)継続した後に単相電源２の開閉器４が閉成され、単相電源２が共通負荷Ｒに供給される状態と、時間経過に応じた電圧値とを示している。
【００４８】
グラフ(図３（ｄ）)とグラフ(図３（ｅ）)から判るように、単相電源１を共通負荷Ｒに供給している状態では、ｄＶａ＝０となり、一方、単相電源２を共通負荷Ｒに供給している状態では、ｄＶｂ＝０となる。
【００４９】
各々のベクトル差電圧の差ｄＶａ−ｄＶｂ＝−１の場合は、単相電源１が共通負荷Ｒに供給されており、ｄＶａ−ｄＶｂ＝１の場合は、単相電源１が共通負荷Ｒに供給されていることになる。また、ｄＶａ−ｄＶｂ＝０の場合は、共通負荷Ｒが無電圧となる。
【００５０】
こうした時間をカウントすることにより、開閉器３，４の開閉成時間である電源切替時間を正確に測定することができる。
【００５１】
また、本発明は、上記主旨を逸脱しない範囲で構成の組合せ、処理手順等を替えても良い。例えば、計測装置１０の電源切替時間演算手段１７を制御装置５内に置き比較判定手段１６から「０」状態であるフラグ信号を電源切替時間演算手段１７に出力するようにしても良い。
【００５２】
上述したように本発明によれば、開閉器の補助接点を用いること無く実際の負荷に印可される電圧を測定することにより２つの異電源を管理された時間内で切替し、負荷に供給する設備の正確な電源切替時間を測定することができ、管理された時間内での電源切替が実現できる。
【図面の簡単な説明】
【００５３】
【図１】本発明の電源切替時間の測定方式を説明するための図
【図２】本発明の電源切替時間の測定方式の処理ブロック図
【図３】本発明の電源切替時間の測定方式の動作を説明するための波形図
【図４】従来の電源切替時間の測定方式を説明するための図
【符号の説明】
【００５４】
１，２  電源，単相電源
５  制御装置（制御手段）
１５  ベクトル差電圧振幅値演算手段（ベクトル差信号出力手段）
１６  比較判定手段
１７  電源切替時間演算手段（切替時間判定手段）
Ｄ  デッドセクション
ｄＶａ  ベクトル差信号（第１のベクトル差信号）
ｄＶｂ  ベクトル差信号（第２のベクトル差信号）
Ｋｖ  値
Ｒ  共通負荷
Ｖａ，Ｖｂ，Ｖｎ  電圧値
【図１】
2010068659.tif 000003
【図２】
2010068659.tif 000004
【図３】
2010068659.tif 000005
【図４】
2010068659.tif 000006